(57)【特許請求の範囲】
【請求項１】
磁石、磁極およびバランスウエイトを有し、非磁性材にて略円盤状に成形された回転体と、該回転体に設けられてエンジンのクランクシャフトに嵌挿される軸孔とを備えた磁石発電機の回転子であり、該回転子の前記軸孔を挟んだ対向位置に、該回転子を前記クランクシャフトから抜き取るための抜き取り工具の引き抜き部材が挿入され、かつ該引き抜き部材に周辺部が係合される複数の抜き取り用貫通孔を設けたことを特徴とする磁石発電機の回転子。
【請求項２】
エンジンのクランクシャフトに軸孔を嵌挿した磁石発電機の回転子に対向配置されるプレートと、該プレートの中央部を貫通するように螺合されて先端部が前記クランクシャフト端に当接されるねじ部材と、前記プレートのねじ部材を挟んだ対向位置に、後端部が抜け止めされるように装着された複数本の引き抜き部材と、該引き抜き部材の先端部に形成され、前記回転子の軸孔を挟んで設けられた複数の抜き取り用貫通孔に挿入し、かつ該抜き取り用貫通孔周辺部に係合される係合部材とを備えた磁石発電機の回転子抜き取り工具。
【請求項３】
前記引き抜き部材が、回転操作によって前記抜き取り用貫通孔周辺部に係合可能な係合突起部を先端に有することを特徴とする請求項２記載の磁石発電機の回転子抜き取り工具。
【請求項４】
前記引き抜き部材が、直線移動操作によって前記抜き取り用貫通孔周辺に係合可能な係合突起部を先端に有することを特徴とする請求項２記載の磁石発電機の回転子抜き取り工具。
【請求項５】
前記引き抜き部材が、装着しているプレートの回動操作によって前記抜き取り用貫通孔周辺部に係合可能な係合突起部を先端に有することを特徴とする請求項２記載の磁石発電機の回転子抜き取り工具。
【発明の詳細な説明】
【０００１】
【発明の属する技術分野】
この発明は、内燃機関の点火装置に使用される磁石発電機の回転子および回転子抜き取り工具に関する。
【０００２】
【従来の技術】
従来から、磁石発電機の回転子をエンジンのクランクシャフトから取り外す場合、回転軸に嵌挿されたプーリを抜き取るのに使用するプーリ抜き取り工具が利用されている。
【０００３】
図１０はかかる従来のプーリ抜き取り工具およびこれにより抜き取られる磁石発電機の回転子を示す、同図において、２１はエンジンのクランクシャフトで、このクランクシャフト２１には磁石，磁極およびバランスウェイト等を有し、かつ非磁性材に略円盤状に成形された回転子２２の軸孔２３が嵌挿されている。
【０００４】
また、前記回転子２２はクランクシャフト２１端に形成された雄ねじ部２４に螺合されたナット３２により、自由脱抜が不可能となるように固定されている。なお、２５は回転子２２の一側面に周方向に沿って突設された複数枚の冷却フアンである。
【０００５】
一方、２６は中心部にボルト２７を螺合したボルト取付部材で、これの両端に各２本のアーム２８，２９が各支軸３０，３１を介して回動可能に連結されており、アーム２９の先端には係止爪２９ａが一体に設けられている。
【０００６】
このプーリ抜き取り工具では、まず、前記各アーム２９端の係止爪２９ａを図示のように、クランクシャフト２１に嵌挿されている回転子２２外周部の内側面に係止させ、前記ボルト２７の先端をクランクシャフト２１の先端面に衝き当てる。
【０００７】
なお、かかる作業の前後にナット３２を雌ねじ部２４から取り外しておいて、続いて前記ボルト２７をボルト取付部材２６に対してねじ込む。これにより、そのねじ込み力による軸方向トルクを受けてアーム２８，２９は支軸３０，３１を中心に変位し、係止爪２９ａに保持された回転子２２がクランクシャフト２１から軸方向に抜き取られる。
【０００８】
図１１は従来の回転子抜き取り工具およびこれにより抜き取られる磁石発電機の回転子を示す。同図において、３５は回転子２２にこれの両側面を貫通するように設けられた複数のねじ孔である。
【０００９】
また、３６はこれらのねじ孔３５に先端がねじ込まれる雄ねじで、この雄ねじ３６はプレート３７に設けられた挿通孔３８にそれぞれ挿通され、各雄ねじ３６のねじ頭３６ａにて抜け止めされている。
【００１０】
前記プレート３７にはこれの中央部にボルト２７がねじ込まれ、これの先端部が前記クランクシャフト２１の先端面に衝き当て可能となっている。
【００１１】
この抜き取り工具では、前記ねじ孔３５にある深さまで雄ねじ３６の先端部をねじ込み、続いて、前記ボルト２７をプレート３７にねじ込んで、そのボルト２７の先端をクランクシャフト２１の端面に衝き当る。
【００１２】
そして、前記プレート３７を回転子２２に対し平行となる姿勢を保って、前記ボルト２７をさらにねじ込む。こうすることにより、プレート３７には雄ねじ３６を介して回転子２２に、これをクランクシャフト２１から引き抜こうとする力が付与される。このため、回転子２２はクランクシャフト２１からスムーズに抜き取られる。
【００１３】
【発明が解決しようとする課題】
しかしながら、図１０に示す汎用のプーリ抜き取り工具を使用して回転子を抜き取る場合には、回転子２２の外周面に沿って係止爪２９ａを係止させることが必要で、磁石発電機およびエンジンの小形化が図られる現今では、その回転子２２の外周にかかる係止爪２９ａを案内するための空間を確保することが難しく、結局、かかるプーリ抜き取り工具を実用できないという問題点があった。
【００１４】
また、図１１に示す抜き取り工具を使用する場合には、成形によって得た回転子に対してねじ孔３５を後工程で追加加工する必要があり、回転子の無加工化を実現できず、生産効率の低下とコストアップを招くという問題点があった。
【００１５】
この発明は前記のような問題点を解決するためになされたものであり、ねじ孔穿設などの追加加工を施すことなく、極めて簡単かつ確実に、抜き取り工具によってクランクシャフトから抜き取りを行うことができる磁石発電機の回転子を得ることを目的とする。
【００１６】
また、この発明は回転子周辺に十分な作業空間が得られなくても確実に、しかも極めて簡単な作業および操作にて回転子をクランクシャフトから抜き取ることができる磁石発電機の回転子抜き取り工具を得ることを目的とする。
【００１７】
さらに、この発明は引き抜き部材の抜き取り用貫通孔に対する簡単な係脱操作によって、回転子のクランクシャフトからの引き抜き操作を迅速に行えるようにする磁石発電機の回転子抜き取り工具を得ることを目的とする。
【００１８】
【課題を解決するための手段】
請求項１の発明にかかる磁石発電機の回転子は、該回転子をクランクシャフトから抜き取るための抜き取り工具の引き抜き部材が挿入されて、かつ該引き抜き部材が周辺部に係合される複数の抜き取り用貫通孔を前記回転子の軸孔を挟んだ対向位置に設けたものであり、前記抜き取り工具の抜き取り用貫通孔への挿入に続く周辺への係合作動と、さらにその抜き取り工具の引き抜き操作によって、回転子をクランクシャフトから引き抜き可能にしている。
【００１９】
請求項２の発明にかかる磁石発電機の回転子抜き取り工具は、エンジンのクランクシャフトに軸孔を嵌挿した磁石発電機の回転子に対向配置されるプレートと、該プレートの中央部を貫通するように螺合されて先端部が前記クランクシャフト端に当接されるねじ部材と、前記プレートのねじ部材を挟んだ対向位置に、後端部が抜け止めされるように装着された複数本の引き抜き部材と、該引き抜き部材の先端部に形成され、前記回転子の軸孔を挟んで設けられた複数の抜き取り用貫通孔に挿入し、かつ該抜き取り用貫通孔周辺部に係合される係合部材を形成したものであり、前記引き抜き部材の先端部を回転子の抜き取り用貫通孔へ挿入して摺動や回転の操作を行うことで、その抜き取り用貫通孔周辺に引き抜き部材の係合部材を引掛け、さらにねじ部材のねじ込み操作によって発生する直線トルクを前記係合部材を介して回転子およびクランクシャフト間に付与して、その回転子をクランクシャフトから抜き取れるようにしている。
【００２０】
請求項３の発明に係る磁石発電機の回転子抜き取り工具は、回転操作によって回転子の抜き取り用貫通孔周辺部に係合可能な係合突起部を引き抜き部材の先端部に設けたものであり、この係合状態にてプレートを介し前記引き抜き部材をねじ部材のねじ込みにより引き上げることで、回転子のクランクシャフトからの引き抜きを可能にしている。
【００２１】
請求項４の発明に係る磁石発電機の回転子抜き取り工具は、直線移動操作によって回転子の抜き取り用貫通孔周辺部に係合可能な係合突起部を引き抜き部材の先端部に設けたものであり、この係合状態にてプレートを介し前記引き抜き部材をねじ部材のねじ込みにより引き上げることで、回転子のクランクシャフトからの引き抜きを可能にしている。
【００２２】
請求項５の発明に係る磁石発電機の回転子抜き取り工具は、引き抜き部材を装着しているプレートの回動操作によって回転子の抜き取り用貫通孔周辺部に係合可能な係合突起部を引き抜き部材の先端部に設けたものであり、この係合状態にてプレートを介し前記引き抜き部材をねじ部材のねじ込みにより引き上げることで、回転子のクランクシャフトからの引き抜きを可能にしている。
【００２３】
【発明の実施の形態】
以下、この発明の一実施の形態を図について説明する。図１において、１は回転子であり、これの中心部にエンジンのクランクシャフトに嵌挿される軸孔２を有する。この軸孔２は必要に応じテーパ状に形成される。
【００２４】
前記回転子は軸孔２を挟んで外周部の対向位置（互いに１８０°の反対位置）に磁石および磁極からなるポールピース部（図示しない）とバランスウェイト（図示しない）とを有する。
【００２５】
また、３は前記回転子１の前記軸孔２を挟んで複数箇所、図面実施例では２箇所に貫通形成された抜き取り用貫通孔である。そして、この抜き取り用貫通孔３は後述の抜き取り工具の一部である棒状の引き抜き部材が挿通可能な挿通孔３ａと、この挿通孔３ａに連続して前記引き抜き部材に連設された係合ピンが挿通可能なピン挿通孔３ｂとからなる。なお、３ｃは冷却ファンで、図示のように等間隔に配置されている。
【００２６】
図２は前記回転子１をクランクシャフトから抜き取る前記抜き取り工具およびその抜き取り構造を示し、同図において、５は回転子１の前記軸孔２を嵌挿しているクランクシャフトである。
【００２７】
そして、このクランクシャフト５の先端部の雄ねじ５ａには、ナット６が締め込まれて、回転子１がクランクシャフト５から容易に脱抜しないように固定されている。なお、このナット６は前記抜き取り作業時には取り外される。
【００２８】
また、７は抜き取り工具Ｈの支持体をなす例えば円盤状のプレートであり、このプレート７の中心部には、先端部が前記クランクシャフト５の端面に当接されるボルトなどのねじ部材８がねじ込まれ、さらに、このプレート７の前記ねじ部材８を挟んだ対向位置の複数箇所には貫通孔９が設けられている。
【００２９】
１０はこれらの貫通孔９に挿通された前記抜き取り工具Ｈの引き抜き部材で、これの一端には抜け止め用の頭部１１が設けられており、他端には係合部材としての係合ピン１２が突設されている。
【００３０】
なお、引き抜き部材１０の前記他端部の径は、図１に示す抜き取り用貫通孔３の挿通孔３ａより僅か小さい径とされ、係合ピン１２は前記ピン挿通孔３ｂを自由に挿通可能な長さを持つものの、このピン挿通部３ｂ以外の領域では挿通孔３ａの径の外方にまで及んでいる。
【００３１】
従って、かかる構成になる回転子抜き取り工具Ｈでは、回転子１のクランクシャフト５からの抜き取り時には、先ず、各引き抜き部材１０の前記他端を、図３に示すように抜き取り用貫通孔３内へ矢印方向Ａに挿入する。
【００３２】
この挿入は、引き抜き部材１０自身を前記抜き取り用貫通孔３のうち挿通孔３ａに、係合ピン１２をピン挿通孔３ｂに、それぞれ挿入することによってなされる。
【００３３】
次に、この挿入後は、各抜き取り部材１０自身を前記貫通孔９内で、矢印方向Ｂに例えば９０°の角度分回転操作する。これにより、各係合ピン１２は回転子１の裏面の挿通孔３ａ周辺に至り、かかる状態で前記ねじ部材８をプレート７に対しねじ込んでいくと、その係合ピン１２はその挿通孔３ａ周辺の回転子１の裏面に当接する。
【００３４】
また、このねじ部材８の続くねじ込みによって、これの先端部は前記クランクシャフト５の先端面に当った後、プレート７がクランクシャフト５がある側とは反対の方向（図２中右方）に移動する。
【００３５】
このため、このプレート７に係止されている前記引き抜き部材１０端の係合ピン１２が回転子１を裏側から引き抜き方向（図２中右方）へ付勢し、この回転子１は大きな引っ張りトルクを受けてクランクシャフト５からスムースに抜き取られる。
【００３６】
図４および図５はこの発明の他の実施の形態を示す。この実施の形態では、回転子１の前記軸孔２を挟んだ対向位置に複数（ここでは２個）の矩形の抜き取り用貫通孔１５を形成しておき、この抜き取り用貫通孔１５に対して、プレート７にこれの面に沿って直線移動可能に取り付けられた引き抜き部材１６端の係合部材としてのフック部１７を挿入可能としている。
【００３７】
従って、この実施の形態では、前記と同様に引き抜き部材１６端のフック部１７を貫通孔１５に矢印方向Ｃに挿入した後は、前記プレート７上で引き抜き部材１６を図５に示すように、矢印方向Ｄへ直線移動させることで、図６に示すように、そのフック部１７を回転子１の背面に位置させることができる。そして、この後、ねじ部材８のねじ込みにより、前記同様にして回転子１の抜き取りを行うことができる。
【００３８】
図７および図８はこの発明の他の実施の形態を示す。この実施の形態では、回転子１の前記軸孔２を挟んだ対向位置に複数（ここでは２個）の略Ｌ字状の抜き取り用貫通孔１８を形成しておき、この抜き取り用貫通孔１８に対して、プレート７に取り付けられた引き抜き部材１９端の係合部材としてフック部２０を挿入可能としてある。
【００３９】
なお、前記各抜き取り用貫通孔１８は回転子１の円周方向に沿った円周方向孔１８ａと、その回転子１の半径方向に延びる径方向孔１８ｂとからなる。
【００４０】
従って、この実施の形態では、図２に示したものと同様にプレート７に支持させた引き抜き部材１９のフック部２０を抜き取り用貫通孔１８の径方向孔１８ｂに矢印方向Ｅに挿入した後、前記プレート７を僅かの角度分だけ矢印方向Ｆに回動する。
【００４１】
こうすることで、前記フック部２０を前記円周方向孔１８ａ周辺で回転子１の背面に位置させた後、前記ねじ部材８のねじ込みにより図９に示すように、その背面にフック部２０を係止させることができ、続くねじ部材８のねじ込みによって、前記同様にして回転子１の抜き取りを行うことができる。
【００４２】
なお、この場合においては、前記プレート７を回動させずに、引き抜き部材１９自体を径方向孔１８ｂに挿入した後水平移動させることによっても、フック部２０を回転子１の背面に位置させることができ、従って、前記同様に、回転子１の抜き取りを行うことができる。
【００４３】
なお、前記引き抜き部材１０、１６，１９端に設けた係止ピン１２、フック１７，２０に限らず、これに代えて他のあらゆる突起物を用いても、前記同様の回転子１の引き抜きが行えることはいうまでもない。
【００４４】
以上のように、請求項１の発明によれば、回転子に、該回転子をクランクシャフトから抜き取るための抜き取り工具の引き抜き部材が挿入されて、この引き抜き部材に周辺部が係合される複数の抜き取り用貫通孔を構成したので、ねじ孔穿設などの追加加工を施すこすことなく極めて簡単かつ確実に、抜き取り工具によってクランクシャフトから回転子を簡単かつ迅速に抜き取れるものが得られる効果がある。
【００４５】
また、請求項２の発明によれば、エンジンのクランクシャフトに軸孔を嵌挿した磁石発電機の回転子に対向配置されるプレートと、該プレートの中央部を貫通するように螺合されて先端部が前記クランクシャフト端に当接されるねじ部材と、前記プレートのねじ部材を挟んだ対向位置に、後端部が抜け止めされるように装着された複数本の引き抜き部材と、該引き抜き部材の先端部に形成され、前記回転子の軸孔を挟んで設けられた複数の抜き取り用貫通孔に挿入し、かつ該抜き取り用貫通孔周辺部に係合される係合部材を形成するように構成したので、前記引き抜き部材の先端部を回転子の抜き取り用貫通孔へ挿入して摺動や回転操作を行うことで、その抜き取り用貫通孔周辺に引き抜き部材の係合部材を引掛け、さらにねじ部材のねじ込み操作によって発生するトルクを前記係合部材を介して回転子およびクランクシャフト間に付与して、その回転子をクランクシャフトから容易かつ確実に抜き取れるものが得られる効果がある。
【００４６】
請求項３の発明によれば、回転操作によって回転子の抜き取り用貫通孔周辺部に係合可能な係合突起部を引き抜き部材の先端部に設けたので、係合状態にてプレートを介し前記引き抜き部材をねじ部材のねじ込みにより引き上げることで、回転子のクランクシャフトからの引き抜きを容易に実現できるものが得られる効果がある。
【００４７】
請求項４および請求項５の発明によれば、直線移動操作によって回転子の抜き取り用貫通孔周辺部に係合可能な係合突起部を引き抜き部材の先端部に設けたり、あるいは引き抜き部材を装着しているプレートの回動操作によって回転子の抜き取り用貫通孔周辺部に係合可能な係合突起部を引き抜き部材の先端部に設けたので、前記係合状態にてプレートを介し前記引き抜き部材をねじ部材のねじ込みにより引き上げることで、回転子のクランクシャフトからの引き抜きを容易に実現できるものが得られる効果がある。
【図面の簡単な説明】
【図１】この発明の一実施の形態による磁石発電機の回転子を示す正面図である。
【図２】この発明の一実施の形態による磁石発電機の回転子抜き取り工具を示す一部切欠き断面図である。
【図３】図２における抜き取り用貫通孔と引き抜き部材との関係を示す要部の斜視図である。
【図４】この発明の他の実施の形態による磁石発電機の回転子を示す正面図である。
【図５】図４における抜き取り用貫通孔と引き抜き部材との関係を示す要部の斜視図である。
【図６】図５における抜き取り用貫通孔に対する引き抜き部材の係合状態を示す要部の断面図である。
【図７】この発明の他の実施の形態による磁石発電機の回転子を示す正面図である。
【図８】図７における抜き取り用貫通孔と引き抜き部材との関係を示す要部の斜視図である。
【図９】図８における抜き取り用貫通孔に対する引き抜き部材の係合状態を示す要部の断面図である。
【図１０】従来のプーリ抜き取り工具を示す側面図である。
【図１１】従来の回転子抜き取り工具を示す側面図である。
【符号の説明】
１  回転子
２  軸孔
３，１５，１８  抜き取り用貫通孔
５  クランクシャフト
７  プレート
８  ボルト（ねじ部材）
１０，１６，１９  引き抜き部材
１２  係合ピン（係合部材）
１７，２０  フック（係合部材）
Ｈ  抜き取り工具
【図１】
0003713311.tif 000002
【図２】
0003713311.tif 000003
【図３】
0003713311.tif 000004
【図４】
0003713311.tif 000005
【図５】
0003713311.tif 000006
【図６】
0003713311.tif 000007
【図７】
0003713311.tif 000008
【図８】
0003713311.tif 000009
【図９】
0003713311.tif 000010
【図１０】
0003713311.tif 000011
【図１１】
0003713311.tif 000012